(57)【要約】      （修正有）【課題】冷蔵及び冷凍食品を安心して混載できる信頼性の高い保冷容器を提供すること。【解決手段】上方に開口を有する略直方体形状の容器本体１０と、該容器本体内を区画する仕切り壁２０と、前記容器本体の開口を塞ぐ状態でその上方に重ねられる冷媒を収納する容器形状の中蓋３０と、該容器形状の中蓋の開口を塞ぐ上蓋４０とから構成され、前記容器形状の中蓋３０の底壁３０ａに、前記仕切り壁により区画された容器本体内のいずれか一つの区画のみに連通する穴３３が穿設されている保冷用容器１とした。【選択図】図３
2011006099.tif 000002
【特許請求の範囲】
【請求項１】
上方に開口を有する略直方体形状の容器本体と、該容器本体内を区画する仕切り壁と、前記容器本体の開口を塞ぐ状態でその上方に重ねられる冷媒を収納する容器形状の中蓋と、該容器形状の中蓋の開口を塞ぐ上蓋とから構成され、前記容器形状の中蓋の底壁に、前記仕切り壁により区画された容器本体内のいずれか一つの区画のみに連通する穴が穿設されていることを特徴とする、保冷用容器。
【請求項２】
上記仕切り壁が、上記容器本体に着脱自在に設けられていることを特徴とする、請求項１に記載の保冷容器。
【請求項３】
上記容器本体の側壁内面及び／又は底壁内面に、上記仕切り壁を支持する溝或いは突起が複数設けられ、容器本体内の区画容積を変更できることを特徴とする、請求項１又は２に記載の保冷容器。
【請求項４】
上記冷媒としてドライアイスを用いることを特徴とする、請求項１〜３のいずれかに記載の保冷容器。
【請求項５】
上記容器本体、仕切り壁、中蓋及び上蓋が、それぞれ発泡合成樹脂により形成されていることを特徴とする、請求項１〜４のいずれかに記載の保冷容器。
【発明の詳細な説明】
【技術分野】
【０００１】
本発明は、保冷容器に関するものであり、更に詳しくは、冷蔵及び冷凍食品を混載できる保冷容器に関するものである。
【背景技術】
【０００２】
発泡ポリスチレン系樹脂等の発泡合成樹脂からなる容器は、軽量性に富むとともに、断熱性に優れることから、ドライアイス、保冷剤、蓄冷剤や氷などの種々の冷媒を用いた保冷容器として、魚、果実、野菜等の搬送用に広く用いられている。
【０００３】
そのため、これらの冷媒を用いた保冷容器に関しては、種々の工夫がなされ、多くの特許出願がされている。
【０００４】
例えば、特許文献１には、保冷容器内に各種の飲料水を分別して収納することができ、衛生的で、かつ繰り返し使用が可能な保冷体を得ることを目的とし、蓄冷剤を充填した蓄冷体を複数個連接する蓄冷パックを、その連設する蓄冷体の連結部分で織り曲げて所望形状にして該蓄冷体の連設方向と垂直な方向に立設させた状態で、該蓄冷パックを単独または複数個組み合わせて保冷容器内に収納して、該保冷容器内で収納物の仕切部屋を形成する技術が開示されている。
【０００５】
また、特許文献２には、簡易な構造で、一つの保冷容器で複数の温度帯での保冷を可能とすることを目的とし、発泡合成樹脂製の蓋体と容器本体とからなり、前記容器本体の側壁の厚さを底部より上部に向かって連続的に又は不連続的に逓減させた保冷容器が開示されている。
【０００６】
さらに、特許文献３には、発泡合成樹脂製の断熱容器として、容器内部に配される仕切板を、所定位置に安定性よくセットできるとともに、蓋体の補強を確実に果せる構成にして、上方から大きな荷重が加わっても割れや破損のおそれがない断熱容器を提供することを目的とし、容器本体の相対向する２つの側壁の内面に、底部上面から上方開口部まで連続する少なくとも一対の凹溝を設け、蓋体の容器本体の前記凹溝に対応する側壁内面位置に、蓋体の開口部から上板部下面まで連続する少なくとも一対の凹溝を設け、仕切板を、前記凹溝に嵌合して容器本体の底部上面と蓋体の上板部下面とに上下両端が接するように配した断熱容器が開示されている。
【先行技術文献】
【特許文献】
【０００７】
【特許文献１】特開平１１−６６７４号公報
【特許文献２】実開平５−９０２７９号公報
【特許文献３】特開平８−３２４６５５号公報
【発明の概要】
【発明が解決しようとする課題】
【０００８】
上記したように、保冷容器については、種々の工夫がなされているが、近年においては、冷蔵及び冷凍食品の宅配が急激に増えており、これらの冷蔵及び冷凍食品を混載できる信頼性の高い保冷容器の出現が強く望まれている。
【０００９】
すなわち、特許文献１或いは特許文献３に開示された技術にあっては、容器内は仕切られているものの、各仕切られた区画の保冷温度に差異はなく、一つの容器に冷蔵及び冷凍食品を混載できるものでは無かった。
また、特許文献２に開示された技術にあっては、一つの保冷容器で複数の温度帯での保冷を可能とするものではあるが、単に容器本体の側壁の厚さを上下で変えたものであり、その保冷温度の差異は僅かであるため、やはり冷蔵及び冷凍食品を安心して混載できるものでは無かった。
【００１０】
本発明は、上述した背景技術が有する課題に鑑みなされたものであって、その目的は、冷蔵及び冷凍食品を安心して混載できる信頼性の高い保冷容器を提供することにある。
【課題を解決するための手段】
【００１１】
上記した目的を達成するため、本発明は、次の（１）〜（５）の保冷容器とした。
（１）上方に開口を有する略直方体形状の容器本体と、該容器本体内を区画する仕切り壁と、前記容器本体の開口を塞ぐ状態でその上方に重ねられる冷媒を収納する容器形状の中蓋と、該容器形状の中蓋の開口を塞ぐ上蓋とから構成され、前記容器形状の中蓋の底壁に、前記仕切り壁により区画された容器本体内のいずれか一つの区画のみに連通する穴が穿設されていることを特徴とする、保冷用容器。
（２）上記仕切り壁が、上記容器本体に着脱自在に設けられていることを特徴とする、上記（１）に記載の保冷容器。
（３）上記容器本体の側壁内面及び／又は底壁内面に、上記仕切り壁を支持する溝或いは突起が複数設けられ、容器本体内の区画容積を変更できることを特徴とする、上記（１）又は（２）に記載の保冷容器。
（４）上記冷媒としてドライアイスを用いることを特徴とする、上記（１）〜（３）のいずれかに記載の保冷容器。
（５）上記容器本体、仕切り壁、中蓋及び上蓋が、それぞれ発泡合成樹脂により形成されていることを特徴とする、上記（１）〜（４）のいずれかに記載の保冷容器。
【発明の効果】
【００１２】
上記した本発明に係る保冷容器によれば、容器形状の中蓋に冷媒、例えばドライアイスを収納すれば、該冷媒の冷気は中蓋の底壁に穿設された穴を介して仕切り壁により区画された容器本体内の一つの区画に流入し、該区画内に入れられた被冷却物を冷気により直接的に冷却することができ、他の区画に入れられた被冷却物は、冷媒が収納された中蓋の底壁及び仕切り壁を介して間接的に冷却することができる。そのため、各区画の保冷温度の差異は大きなものとなり、一つの保冷容器に冷蔵及び冷凍食品を安心して混載できる信頼性の高い保冷容器となる。
【図面の簡単な説明】
【００１３】
【図１】本発明に係る保冷容器の一実施の形態を示した分解斜視図である。
【図２】図１に示した保冷容器の組立て状態を示した斜視図である。
【図３】図２のＩ−Ｉ線に沿う部分の断面図である。
【図４】図１〜図３に示した保冷容器の使用状態を示した断面図である。
【発明を実施するための形態】
【００１４】
以下に、上記した本発明に係る保冷容器の実施の形態を、図面に基づいて詳細に説明する。
【００１５】
本発明に係る保冷容器１は、容器本体１０と、仕切り壁２０と、中蓋３０と、上蓋４０とから構成されている。これらの容器本体１０、仕切り壁２０、中蓋３０及び上蓋４０は、それぞれ発泡合成樹脂により形成されていることが、安価であり、かつ、軽量性及び断熱性の観点から好ましい。発泡合成樹脂としては、発泡ポリスチレン、発泡ポリエチレン、発泡ポリプロピレンなど、通常断熱材として用いられている発泡合成樹脂であれば特に限定されないが、コストや物性の観点から、発泡ポリスチレンが特に好ましい。
【００１６】
上記容器本体１０は、図示したように、上部に開口１１を有する略直方体形状（立方体形状を含む。）の容器である。該容器本体１０の長尺な対向する側壁１０ａ，１０ａの内面側、及び底壁１０ｃの内面側（上面側）には、溝１２が適宜な間隔を開けて３本平行に形成されている。また、容器本体１０の底壁１０ｃの外面側（裏面側）には、図３に示したように、該容器１を重ね積みした場合にその移動を阻止する低い凸部１３が形成されている。
なお、図中１０ｂは、容器本体１０の短尺な対向する側壁である。また１４は、側壁と側壁との会合部外面、及び底壁と側壁との会合部外面に形成されたＣ面カットである。
【００１７】
仕切り壁２０は、上記容器本体１０に形成された溝１２に挿入され、容器本体１０内を複数の室に区画する矩形状の板体であり、図示した実施の形態においては、一枚の仕切り壁２０によって、容器本体１０内を２室に区画している。また、３本形成された溝１２のいずれかを選択して仕切り壁２０を挿入することにより、区画する室の容積を左右で変更できるように構成されている。
【００１８】
仕切り壁２０は、上記したように容器本体１０内を複数の室に区画する作用を果たすとともに、該仕切り壁２０を介して、一方の区画室の冷媒による低温状態を他方の区画室に伝達する作用を果たすものであるため、少なくとも容器本体１０の側壁１０ａ，１０ｂに比して熱伝導が良好（断熱性能が低い）であることが好ましい。熱伝導が良好な仕切り壁２０とするためには、容器本体１０を形成する発泡合成樹脂に比して発泡倍率の高い発泡合成樹脂で仕切り壁２０を形成する、或いは容器本体１０の側壁１０ａ，１０ｂ等の厚さに比して薄い厚さで仕切り壁２０を形成するなどの方策をとればよい。図示した実施の形態においては、仕切り壁２０の厚さを容器本体１０の側壁１０ａ，１０ｂ等の厚さに比して薄いものとし、補強のためのリブ２１を周縁等に形成したものとした。
なお、容器本体１０に形成された溝１２は、上記したように仕切り壁２０を支持する作用を果たすものであるため、仕切り壁２０を支持できるものであればよく、例えば突起のようなものであってもよい。また、２枚以上の仕切り壁２０を用いて、より細かく容器本体１０内を区画するようにしてもよい。
【００１９】
中蓋３０は、上記容器本体１０の開口１１を塞ぐ状態でその上方に重ねられる、冷媒の収納凹部３１が形成された上方が開口３２された浅い容器形状の蓋体である。該容器形状の中蓋３０の底壁３０ａには、上記仕切り壁２０により区画された容器本体１０内の一つの区画室のみに連通する穴３３が複数個穿設されているとともに、該穴３３の周囲に位置する底壁３０ａの上面側には、収納した冷媒を浮かせる突起３４が形成されている。また、中蓋３０の上記開口３２の周壁には、後記する上蓋４０に形成された凸条４２が嵌入する凹溝３５がその全周に渡って形成されている。さらに、中蓋３０の底壁３０ａの裏面側には、上記容器本体１０の開口１１に嵌入する凸部３６が形成されているとともに、上記仕切り壁２０の上端を支持する溝３７が形成されている。
なお、図中３８は、中蓋３０の４隅外面に形成されたＣ面カットである。
【００２０】
上蓋４０は、上記容器本体１０及び中蓋３０と略同一の長さ及び幅を有した矩形状の板体である。そして、該上蓋４０の板面４０ａの上面側には、上記容器本体１０の底壁１０ｃの裏面側に形成された低い凸部１３が容器１を重ね積みした場合に係合する凹部４１が形成されている。また、該外蓋４０の板面４０ａの裏面側には、上記中蓋３０の開口３２の周壁に形成された凹溝３５に嵌入する凸条４２が形成されている。
なお、図中４３は、上蓋４０の４隅外面及び上面周縁に形成されたＣ面カットである。
【００２１】
上記のように構成された本発明にかかる保冷容器１は、図４に示したように、先ず、冷凍食品及び冷蔵食品の収納量に応じて仕切り壁２０の容器本体１０への設置位置を適宜設定した後、容器本体１０内の一方の区画室（図４において右側の冷凍室Ａ）に、凍結食肉、凍結魚類、冷菓などの冷凍食品αを入れ、他方の区画室（図４において左側の冷蔵室Ｂ）に、野菜、果実、各種惣菜などの冷蔵食品βを入れる。続いて、容器本体１０の開口１１を塞ぐ状態で、その上方に中蓋３０を重ね、該中蓋３０の収納凹部３１に冷媒、例えばドライアイスＩを入れ、その開口３２を上蓋４０により塞ぎ、冷凍食品α及び冷蔵食品βを、該保冷容器１によって輸送或いは保管する。
【００２２】
この際、本発明にかかる保冷容器１においては、冷媒であるドライアイスＩを収納した中蓋３０の底壁３０ａには、仕切り壁２０により区画された容器本体１０内の一つの区画室（図４において右側の冷凍室Ａ）のみに連通する穴３３が穿設されているため、該穴３３を介してドライアイスＩの冷気が冷凍室Ａ内に流入し、該冷気によって冷凍食品αは直接的に冷却される。これにより、冷凍食品αは、保存適温である例えば−１５℃程度の低温に保持され、輸送或いは保管されることとなる。
【００２３】
一方、仕切り壁２０により区画された容器本体１０の他方の区画室（図４において左側の冷蔵室Ｂ）内に入れられた冷蔵食品βは、冷媒であるドライアイスＩを収納した中蓋３０の底壁３０ａ、及び仕切り壁２０を介して熱伝導により間接的に冷却されることとなり、冷蔵食品βは、保存適温である例えば０〜１０程度に保持され、輸送或いは保管されることとなる。
【００２４】
さらに、本発明にかかる保冷容器１においては、冷媒であるドライアイスＩを収納した中蓋３０は、その開口３２が上蓋４０により塞がれているとともに、該中蓋３０に穿設された穴３３は容器本体１０内のみに連通する状態で形成されているため、中蓋３０内に直接温かい外気が侵入、或いは逆に中蓋３０内の冷気が直接容器外に流出することはなく、中蓋３０内に収納された冷媒であるドライアイスＩを、効率的に容器本体１０内に入れられた被冷却物α，βの温度調節に使用でき、長時間の輸送或いは保管が可能な信頼性の高い容器となる。
【００２５】
以上、本発明に係る保冷容器の実施の形態を説明したが、本発明は、何ら既述の実施の形態に限定されるものではなく、特許請求の範囲に記載した本発明の技術的思想の範囲内において、各種の変形及び変更が可能であることは当然である。
【符号の説明】
【００２６】
１        保冷容器
１０      容器本体
１０ａ    長尺な対向する側壁
１０ｂ    短尺な対向する側壁
１０ｃ    底壁
１１      開口
１２      溝
１３      凸部
１４      Ｃ面カット
２０      仕切り壁
２１      リブ
３０      中蓋
３０ａ    底壁
３１      冷媒の収納凹部
３２      開口
３３      穴
３４      突起
３５      凹溝
３６      凸部
３７      溝
３８      Ｃ面カット
４０      上蓋
４０ａ    板面
４１      凹部
４２      凸条
４３      Ｃ面カット
Ａ        冷凍室
Ｂ        冷蔵室
α        冷凍食品
β        冷蔵食品
Ｉ        ドライアイス
【図１】
2011006099.tif 000003
【図２】
2011006099.tif 000004
【図３】
2011006099.tif 000005
【図４】
2011006099.tif 000006